(57)【要約】【課題】狭額縁化と、透明前面板の安定保持の両立を図る。【解決手段】表示装置は、表示パネル４と表示パネル４の前面側に設けられた透明前面板１と、表示パネル４と透明前面板１の間に設けられた接着部材を有し、透明前面板１が接着部材のみにより表示パネル４に固定される。例えば、接着部材は、表示パネル４の非表示領域内に設けられた第１接着部材６と、表示パネル４の表示領域内に設けられた第２接着部材３を有し、これらにより、透明前面板１が表示パネル４に接着保持される。【選択図】図３
2014130194.tif 000002
【特許請求の範囲】
【請求項１】
表示パネルと、
前記表示パネル前面側に設けられた透明前面板と、
前記表示パネルと前記透明前面板の間に設けられた接着部材を備え、
前記透明前面板が前記接着部材のみにより前記表示パネルに対して固定され、
前記接着部材が、前記表示パネル外周部の非表示領域のみに設けられた第１接着部材を含むことを特徴とする表示装置。
【請求項２】
前記接着部材は、
前記表示パネルの表示領域に設けられ、前記透明前面板を前記表示パネルに接着保持し、透明且つ前記第１接着部材よりも弱粘着なる第２接着部材を含むことを特徴とする請求項１記載の表示装置。
【請求項３】
前記表示パネルの背面側に設けられ、該表示パネルに対して粘着シートにより固定された表示パネル保持部材と、
前記表示パネルの側面を覆い、該表示パネル保持部材に対してネジ止め固定された外枠部材を備え、
前記透明前面板と、前記外枠部材が離間して設けられることを特徴とする請求項１又は２に記載の表示装置。
【請求項４】
前記透明前面板と前記外枠部材の間に介在する弾性部材を更に備えることを特徴とする請求項３に記載の表示装置。
【発明の詳細な説明】
【技術分野】
【０００１】
本発明は表示装置に関する。より詳しくは、表示装置の透明前面板の固定方法を工夫することにより、表示装置の額縁を狭くすることの可能な表示装置に関する。
【背景技術】
【０００２】
近年、テレビ等に代表される表示装置において、表示パネルを保護する目的や表示装置の前面全体を一枚のカバーガラスで覆うデザイン（一枚ガラスデザイン）を実現するために、表示パネルの表面側には、透明前面板が設けられている。
【０００３】
図４に従来の表示装置１００の透明前面板の支持構造の一例を示す。図４は、表示装置１００の厚み方向の周囲近傍の部分断面を表す。
【０００４】
図４を参照して、表示装置１００は、外枠部材２と、LCDやPDPなどの表示パネル４と、表示パネル保持部材５と、アクリルやガラスなどの材質からなる透明前面板１とを備える。
【０００５】
表示パネル４は、表示パネル保持部材５と図示しない粘着シートにより固定されている。次に、外枠部材２は、表示パネル保持部材５と図示しないネジ止め固定されている。さらに、透明前面板１の外周は、外枠部材２と両面テープ７で固定されている。また、表示パネル４は、実際に画像を表示する表示領域４１とその外周部分であって配線等が配置される非表示領域４２に分かれる。また、透明前面板１の上には表示パネル４の非表示領域４２を隠すために黒色印刷されたフィルム９が貼られている。そして、フィルム９が貼られた領域が表示装置１００の額縁に相当する。すなわち、表示パネル４の表示領域４１の外周から表示装置１００の最外形までの領域が額縁に相当する。
【先行技術文献】
【特許文献】
【０００６】
【特許文献１】特開2010-157957号公報
【発明の概要】
【発明が解決しようとする課題】
【０００７】
上記従来の技術では、図４に示すように透明前面板１は表示パネル４のさらに外側に位置している外枠部材２を用いて両面テープ７を介して固定されているが、両面テープ７の接着力だけで透明前面板１を保持するには、接着面積を十分に確保する必要がある。このため、昨今市場から要求が高い狭額縁デザイン（表示装置の額縁を狭くするデザイン）の実現において、従来の構成では限界がある。
【課題を解決するための手段】
【０００８】
上記従来の課題を解決する為に、本発明の表示装置は、表示パネルと前記表示パネル前面側に設けられた透明前面板と、前記表示パネルと前記透明前面板の間に設けられた接着部材を有し、前記透明前面板が前記接着部材のみにより前記表示パネルに固定されることを特徴とする表示装置とした。
【発明の効果】
【０００９】
本発明の表示装置によれば、透明前面板を表示パネルに直に貼り付けて、保持させるので、表示パネルの外側にある外枠部材との接着が不要となり、外枠部材との接着面積を考慮する必要がなくなることから、表示装置の額縁幅を小さくできる。
【図面の簡単な説明】
【００１０】
【図１】実施の形態１にかかる表示装置の正面図
【図２】実施の形態１にかかる表示装置の断面図
【図３】実施の形態１にかかる表示装置の部分断面図
【図４】従来の表示装置の部分断面図
【発明を実施するための形態】
【００１１】
以下本発明の実施の形態について図面を参照しながら説明する。
【００１２】
（実施の形態）
（構成）
図１は本実施形態にかかる表示装置１０の正面図であり、図２は表示装置１０の断面図であり、図３は表示装置１０の部分断面図である。
【００１３】
表示装置１０は、表示パネル４、透明前面板１、表示パネル保持部材５、および外枠部材２を有する。表示装置１０は、表示パネル４に映像を表示させる装置である。
【００１４】
表示パネル４としては、液晶ディスプレイ（LCD）、プラズマディスプレイパネル（PDP）、有機ELディスプレイ（OLED）などが挙げられる。本実施形態では、代表的な例として、プラズマディスプレイパネルを例示する。PDPは、前面板と背面板の２枚のガラスで構
成される。前面板と背面板との周縁部は封着材で封着され、前面板と背面板との間には放電空間が形成されている。また、表示パネル４外周部には、映像が表示されない非表示領域４２が存在する。
【００１５】
透明前面板１は、表示パネル４を保護する目的や一枚ガラスデザインを実現するために表示パネル４の前面側に設けられており、表示パネル４に表示される文字や画像などを明瞭に目視できるために、高い透明性を有している。その材料は、アクリル系樹脂やポリカーボネート系樹脂、ガラスなどから選択することができる。表示パネル４の表示領域より外側にあたる透明前面板１の外周部には、ＰＤＰの各画素を駆動するための信号線等の目隠し等のために黒色印刷されたフィルム９が貼付されている。そして、このフィルム９が貼られた領域が表示装置１０の額縁に相当する。
【００１６】
透明前面板１は、表示パネル４に対して直に接着ざれ、保持されている。例えば、透明前面板１は、表示パネル４外周部の非表示領域４２のみに設けられた第１接着部材６を介して表示パネル４と直に接着することで、保持することができる。この第１接着部材６は、黒色のフィルム９により隠れる領域にあるため特に透明性を有する必要はなく、透明前面板１を保持することができるだけの接着力を有するように材料選定すればよい。また、第１接着部材６は、透明前面板１と表示パネル４の線膨張の違いにより発生する応力を緩和できるようシリコン系の弾性接着剤であることが望ましい。
【００１７】
透明前面板１は、上記第１接着部材６に加え、表示パネル４の表示領域４１内に設けられた第２接着部材３を介して表示パネル４と接着保持される。第２接着部材３は、表示パネル４の表示領域４１内に設けられるため、透明性を有する必要があり、さらに透明前面板１や表示パネル４の屈折率とほぼ同じ屈折率を有する材料であることが望ましい。その様な材料を第２接着部材３として用いることで、表示パネル４表面や透明前面板１裏面で生じる界面反射を抑制することができ、結果、視認性向上につながる。
【００１８】
上記２種類の接着部材は、透明前面板１の保持に必要な接着力を有する様に選定したものを使用する。例えば、第１接着部材６に強粘着を、第２接着部材３に弱粘着なる接着部
材を選ぶといったことも可能であり、その組み合わせを適切に選択することで、接着部材のコスト最適化を図ることができる。
【００１９】
表示パネル保持部材５は、表示パネル４の背面側に設けられ、図示しない粘着シートを介して表示パネル４と接着保持されている。また、表示パネル保持部材５は、（図示しない）スタンドに対してネジ止め固定され、スタンドが置かれた台に対して略垂直に保持されている。すなわち、表示パネル４は表示パネル保持部材５を介してスタンドにより保持されている。また、表示パネル保持部材５は（図示しない）バックキャビネットによりその背面が覆われる。
【００２０】
外枠部材２は、いわゆるフロントキャビネットとも呼ばれるものであり、表示パネル４の側面部全周を覆うように配置され、表示パネル保持部材５に対してネジ止め固定されている。また、本実施の形態では、外枠部材２は透明前面板１を保持する必要がないことから、背景記述欄で述べた表示装置１００のように両面テープ７は貼られておらず、透明前面板１と離間して設けられている。
【００２１】
ただし、表示装置内部への水侵入対策として、透明前面板１と外枠部材２の間に弾性部材８が介在して配置されている。弾性部材８は、止水性能の高いスポンジ材料であることが望ましい。
【００２２】
（作用効果）
本実施の形態にかかる表示装置の作用効果を説明する。
【００２３】
第一に、本実施の形態にかかる表示装置は、表示パネル４を有する。加えて、表示パネルを保護する透明前面板を有する。加えて、透明前面板１は表示パネル４に対して、表示パネル４外周部の非表示領域のみに設けられた第１接着部材６を介して直に接着保持されている。
【００２４】
これにより、透明前面板１の保持は維持しながら、表示装置の額縁を狭くすることができる。具体的には、透明前面板１を表示パネル４外形よりも外側に設けられた外枠部材２に対して接着固定する必要がなく、その接着面積の確保が不要なため、狭額縁化が実現できる。
【００２５】
第二に、本実施の形態にかかる表示装置は、透明前面板１を第１接着部材に加え、表示パネル４の表示領域内に設けられた第２接着部材３を介して表示パネル４と接着保持されている。
【００２６】
上記２種類の接着部材は、例えば、透明前面板１の保持に必要な接着力を有する様に、第１接着部材に強粘着を、第２接着部材に弱粘着なる接着部材を、選択することで、接着部材のコスト最適化を図ることができる。
【００２７】
第三に、本実施の形態にかかる表示装置は、表示パネル４背面側に配置され、表示パネル４に対して粘着シートにより固定された表示パネル保持部材５を有する。加えて、表示パネル４側面を覆い、表示パネル保持部材５に対してネジ止め固定された外枠部材２を有する。透明前面板１と外枠部材２は離間して設けられている。このようにすると、外枠部材２は容易に取り外すことができるため、修理しやすい構成を実現できる。
【００２８】
第四に、本実施の形態にかかる表示装置は、透明前面板１と外枠部材２の間に介在する弾性部材８を有する。このようにすると、表示装置内部を隠蔽できる。また、透明前面板１と外枠部材２の間に介在する隙間のばらつきを吸収することができる。
【産業上の利用可能性】
【００２９】
本発明の表示装置は、一例としてプラズマディスプレイパネル（PDP）または液晶パネ
ルを備えた表示装置において適用できる。
【符号の説明】
【００３０】
１  ：  透明前面板
２  ：  外枠部材
３  ：  第２接着部材
４  ：  表示パネル
５  ：  表示パネル保持部材
６  ：  第１接着部材
７  ：  両面テープ
８  ：  弾性部材
９  ：  フィルム
１０：  本実施形態にかかる表示装置
４１：  表示領域
４２：  非表示領域
【図１】
2014130194.tif 000003
【図２】
2014130194.tif 000004
【図３】
2014130194.tif 000005
【図４】
2014130194.tif 000006